(57)【特許請求の範囲】
【請求項１】
ビデオ信号およびオーディオ信号を受信可能な第１ビデオ・オーディオ信号通信手段と、第１マイクロフォンおよび第１スピーカと、双方向音声通信が可能な第１音声通信手段とを有し、前記第１ビデオ・オーディオ信号通信手段で受信したビデオ信号およびオーディオ信号を中継する中継手段と、
第１撮像・収音手段と、該第１撮像・収音手段で得たビデオ信号およびオーディオ信号を前記中継手段に送信可能な第２ビデオ・オーディオ信号通信手段と、双方向音声通信が可能な第２音声通信手段とを有し、前記第１撮像・収音手段、前記第２ビデオ・オーディオ信号通信手段および前記第２音声通信手段とが一体的に構成されている、第１撮像・収音・通信手段と、
第２マイクロフォンと第２スピーカとを有し、該第２マイクロフォンと該第２スピーカとが前記１撮像・収音・通信手段の前記第２音声通信手段に前記第１撮像・収音・通信手段を操作する第１操作者に装着可能に有線接続された、第１ヘッドセットと、
第２撮像・収音手段と、双方向音声通信が可能な第３音声通信手段とを有し、前記第２撮像・収音手段と前記第３音声通信手段とが一体的に構成されている、第２撮像・収音・通信手段と、
第３マイクロフォンと第３スピーカとを有し、該第３マイクロフォンと該第３スピーカとが前記第２撮像・収音・通信手段を操作する第２操作者に装着可能に有線接続された、第２ヘッドセットと
を具備し、
前記中継手段における前記第１ビデオ・オーディオ信号通信手段と前記第１撮像・収音・通信手段における前記第２ビデオ・オーディオ信号通信手段とが有線接続され、
前記中継手段における前記第１音声通信手段と前記第１撮像・収音・通信手段における前記第２音声通信手段とが有線接続され、
前記第１撮像・収音・通信手段における前記第２音声通信手段と前記第２撮像・収音・通信手段における前記第３音声通信手段とが無線接続され、かつ、前記第２音声通信手段から前記第３音声通信手段への通信は単一の第１周波数を用いて行い、前記第３音声通信手段から前記第２音声通信手段への通信は前記第１周波数とは異なる前記第３音声通信手段固有の第２周波数を用いて行い、
前記中継手段におけるライン音声信号および／またはオンエア音声信号とが前記第１音声通信手段を介して前記第１撮像・収音・通信手段における前記第２音声通信手段で受信されて前記第１ヘッドセットの前記第２スピーカに出力され、前記第２音声通信手段から前記第３音声通信手段へ前記第１周波数を用いて無線通信されて前記第２ヘッドセットの前記第３スピーカに出力され、
前記第１ヘッドセットの前記第２マイクロフォンのライン音声信号および／またはオンエア音声信号が前記第１撮像・収音・通信手段における前記第２音声通信手段を介して前記中継手段における前記第１音声通信手段で受信されて前記第１スピーカに出力され、前記第２音声通信手段から前記第３音声通信手段へ前記第１周波数を用いて無線通信されて前記第２ヘッドセットの前記第３スピーカに出力され、
前記第２ヘッドセットの前記第３マイクロフォンのライン音声信号および／またはオンエア音声信号が前記第３音声通信手段から前記第２周波数を用いて前記第１撮像・収音・通信手段における前記第２音声通信手段で受信されて前記第２スピーカに出力され、前記第２音声通信手段を介して前記中継手段における前記第１音声通信手段で受信されて前記第１スピーカに出力される、
ビデオ撮影システム。
【請求項２】
前記第２撮像・収音・通信手段が複数設けられ、
前記第２ヘッドセットが複数設けられ、
前記複数のヘッドセットにおける１つの第３マイクロフォンのライン音声信号および／またはオンエア音声信号が当該ヘッドセットの第３音声通信手段から前記第２周波数を用いて前記第１撮像・収音・通信手段における前記第２音声通信手段に送信され、前記第２音声通信手段を介して他のヘッドセットの第３音声通信手段に送信されて他のヘッドセットの第３スピーカに出力される、
請求項１に記載のビデオ撮影システム。
【請求項３】
前記第１撮像・収音・通信手段は、前記第２音声通信手段が受信した音声信号の信号の強度を調節して出力する側音調整手段を有する、
請求項１または２に記載のビデオ撮影システム。
【発明の詳細な説明】
【０００１】
【産業上の利用分野】
本発明は、例えばビデオ撮影現場等おいて作業指示に用いられる通信システムを備えたビデオ撮影システムに関する。
【０００２】
【従来の技術】
ビデオ撮影現場等において、多数のスタッフが協働して作業を行う場合には、テレビカメラ等を操作するスタッフ相互間、あるいは、スタッフと監督（ディレクター）との間の緊密な連絡が必要となる。
かかる連絡のためには、例えば、中継車と複数のテレビカメラを用いてビデオ撮影を行う場合、中継車とテレビカメラの間にそれぞれ通信用ケーブルを引き、これらの通信用ケーブルとテレビカメラにそれぞれ設けられたヘッドセットとを接続し、中継車にいる監督とテレビカメラを操作するスタッフの間で音声を送受信する方法が従来から用いられてきた。
【０００３】
【発明が解決しようとする課題】
しかしながら、スタッフとディレクターとの間等の連絡のために上述の方法を採ると、中継車とテレビカメラとの間が離れている場合、あるいは、テレビカメラの数が多い場合には、敷設しなければならない通信用ケーブルの量が多くなり、通信用ケーブル敷設のための作業量が大きくなってしまう。
また、最近ではビデオ撮影のためにビデオ記録装置とカメラが一体化されたハンディカメラが用いられることが多くなっているが、ハンディカメラに中継車から通信用ケーブルを引くと、その機動性が損なわれてしまう。
【０００４】
本発明は、ビデオ撮影の際に、スタッフとディレクターとの間の連絡のために敷設すべきケーブルの量がごく少なくてすむ通信システムを適用することにより、例えば、ビデオ撮影の際に、スタッフとディレクターとの間で緊密な連絡をとることができるにもかかわらず、ハンディカメラまで連絡用のケーブルを引く必要がなく、その機動性を損なうことがないビデオ撮影システムを提供することを目的とする。
【０００５】
【課題を解決するための手段】
本発明によれば、ビデオ信号およびオーディオ信号を受信可能な第１ビデオ・オーディオ信号通信手段と、第１マイクロフォンおよび第１スピーカと、双方向音声通信が可能な第１音声通信手段とを有し、前記第１ビデオ・オーディオ信号通信手段で受信したビデオ信号およびオーディオ信号を中継する中継手段と、
第１撮像・収音手段と、該第１撮像・収音手段で得たビデオ信号およびオーディオ信号を前記中継手段に送信可能な第２ビデオ・オーディオ信号通信手段と、双方向音声通信が可能な第２音声通信手段とを有し、前記第１撮像・収音手段、前記第２ビデオ・オーディオ信号通信手段および前記第２音声通信手段とが一体的に構成されている、第１撮像・収音・通信手段と、
第２マイクロフォンと第２スピーカとを有し、該第２マイクロフォンと該第２スピーカとが前記１撮像・収音・通信手段の前記第２音声通信手段に前記第１撮像・収音・通信手段を操作する第１操作者に装着可能に有線接続された、第１ヘッドセットと、
第２撮像・収音手段と、双方向音声通信が可能な第３音声通信手段とを有し、前記第２撮像・収音手段と前記第３音声通信手段とが一体的に構成されている、第２撮像・収音・通信手段と、
第３マイクロフォンと第３スピーカとを有し、該第３マイクロフォンと該第３スピーカとが前記第２撮像・収音・通信手段を操作する第２操作者に装着可能に有線接続された、第２ヘッドセットと
を具備し、
前記中継手段における前記第１ビデオ・オーディオ信号通信手段と前記第１撮像・収音・通信手段における前記第２ビデオ・オーディオ信号通信手段とが有線接続され、
前記中継手段における前記第１音声通信手段と前記第１撮像・収音・通信手段における前記第２音声通信手段とが有線接続され、
前記第１撮像・収音・通信手段における前記第２音声通信手段と前記第２撮像・収音・通信手段における前記第３音声通信手段とが無線接続され、かつ、前記第２音声通信手段から前記第３音声通信手段への通信は単一の第１周波数を用いて行い、前記第３音声通信手段から前記第２音声通信手段への通信は前記第１周波数とは異なる前記第３音声通信手段固有の第２周波数を用いて行い、
前記中継手段におけるライン音声信号および／またはオンエア音声信号とが前記第１音声通信手段を介して前記第１撮像・収音・通信手段における前記第２音声通信手段で受信されて前記第１ヘッドセットの前記第２スピーカに出力され、前記第２音声通信手段から前記第３音声通信手段へ前記第１周波数を用いて無線通信されて前記第２ヘッドセットの前記第３スピーカに出力され、
前記第１ヘッドセットの前記第２マイクロフォンのライン音声信号および／またはオンエア音声信号が前記第１撮像・収音・通信手段における前記第２音声通信手段を介して前記中継手段における前記第１音声通信手段で受信されて前記第１スピーカに出力され、前記第２音声通信手段から前記第３音声通信手段へ前記第１周波数を用いて無線通信されて前記第２ヘッドセットの前記第３スピーカに出力され、
前記第２ヘッドセットの前記第３マイクロフォンのライン音声信号および／またはオンエア音声信号が前記第３音声通信手段から前記第２周波数を用いて前記第１撮像・収音・通信手段における前記第２音声通信手段で受信されて前記第２スピーカに出力され、前記第２音声通信手段を介して前記中継手段における前記第１音声通信手段で受信されて前記第１スピーカに出力される、
ビデオ撮影システムが提供される。
【０００６】
好ましくは、前記第２撮像・収音・通信手段が複数設けられ、前記第２ヘッドセットが複数設けられ、前記複数のヘッドセットにおける１つの第３マイクロフォンのライン音声信号および／またはオンエア音声信号が当該ヘッドセットの第３音声通信手段から前記第２周波数を用いて前記第１撮像・収音・通信手段における前記第２音声通信手段に送信され、前記第２音声通信手段を介して他のヘッドセットの第３音声通信手段に送信されて他のヘッドセットの第３スピーカに出力される。
【０００７】
また好ましくは、前記第１撮像・収音・通信手段は、前記第２音声通信手段が受信した音声信号の信号の強度を調節して出力する側音調整手段を有する。
【０００８】
【実施例】
以下、本発明の通信システムの実施例を説明する。
まず、図１を参照して本発明の通信システム２、および、本発明の通信システム２が適用されるビデオ撮影システム１の構成を説明する。
図１に示すように、ビデオ撮影システム１は、通信システム２、テレビカメラ（ＴＶカメラ）５２、ハンディカメラ５４および中継車５６から構成され、例えばスポーツ中継の際のビデオ撮影に用いられる。
ＴＶカメラ５２は、ビデオ信号用ケーブルで中継車５６に撮影したビデオ信号を送信する。
ハンディカメラ５４は、ＶＴＲ一体型のテレビカメラであって、ハンディカメラ５４と中継車５６との間にはビデオ信号用ケーブルは引かれない。
中継車５６は、ＴＶカメラ５２から伝送されてきたビデオ信号等を編集、調整して放送局等に中継する。
【０００９】
通信システム２は、親機１０、子機２０ａ，２０ｂ、中継車用通信機５０、および、これらに付属しているヘッドセット３０，３２ａ，３２ｂから構成されており、親機１０と中継車用通信機５０との間は、指示用ケーブルで接続され、中継車５６にいるビデオ撮影のディレクターとＴＶカメラ５２等を操作するスタッフとの間およびスタッフ相互間の音声による連絡に用いられる。
【００１０】
ビデオ撮影システム１において、通信システム２の親機１０は、例えば、ＴＶカメラ５２に取り付けられており、子機２０ａは、例えば、ハンディカメラ５４に取り付けられており、子機２０ｂを、例えば、レフ板を操作する撮影スタッフが携帯している。
親機１０は、中継車用通信機５０との間で有線通信回線、つまり指示用ケーブルを介してオンエア音声信号ＡＩＲおよびライン音声信号ＬＩ，ＬＯを送受信し、子機２０ａ，２０ｂとの間で無線通信回線を用いて音声信号を送受信する。
【００１１】
なお、オンエア音声信号ＡＩＲの内容は、例えばビデオ撮影システム１を生中継に用いる際に、実際に放送されている音声であり、ライン音声信号ＬＩ，ＬＯの内容は、中継車５６のディレクターと親機１０および子機２０ａ，２０ｂを用いるスタッフ等の音声である。
また、親機１０および子機２０ａ，２０ｂと、これらを用いるスタッフとの間の音声信号の入出力は、ヘッドセット３０，３２ａ，３２ｂを介して行われる。
【００１２】
子機２０ａ，２０ｂは、親機１０との間で無線通信回線を介して音声信号を送受信する。
なお、親機１０から子機２０ａ，２０ｂへの音声信号の送信は、同一周波数の無線通信回線を共用して行われ、子機２０ａ，２０ｂは両方とも親機１０が送信に用いる無線通信回線で親機１０からの音声信号を受信する。
一方、子機２０ａ，２０ｂから親機１０への音声信号の送信は、それぞれに割り当てられた周波数が異なる無線通信回線を用いて行われ、親機１０は子機２０ａ，２０ｂがそれぞれ用いる無線通信回線で子機２０ａ，２０ｂそれぞれからの音声信号を受信する。
【００１３】
中継車用通信機５０は、スピーカ５００とマイク５０２とを有しており、親機１０から指示用ケーブルを介して送信されてきたライン音声信号ＬＯをスピーカ５００から出力し、マイク５０２から入力された音声信号をライン音声信号ＬＩとして指示用ケーブルを介して親機１０に対して送信する。
【００１４】
親機１０、子機２０ａ，２０ｂおよびヘッドセット３０，３２ａ，３２ｂの構成および動作を、図２〜図４を参照してさらに説明する。
図２に示すように、親機１０は、アンテナ１００、デュープレクサ１０２、分配器１０４、受信回路（ＲＸ１，ＲＸ２）１１０，１１２、混合回路（ＲＭＩＸ，ＬＯＭＩＸ，ＴＭＩＸ，ＨＳＭＩＸ）１２０，１３０，１６０，１８０、制御回路（ＣＰＵ）１４０、設定スイッチ（ＳＷ）１４２、送信回路（ＴＸ）１５０および側音調節回路１７０から構成されている。
【００１５】
子機２０ａ，２０ｂからそれぞれが用いる周波数ｆ1 ，ｆ2 の無線通信回線に送信された上り方向の音声信号は、アンテナ１００で捕捉され、デュープレクサ１０２で分離されて分配器１０４に対して出力される。
分配器１０４は、分配器１０４から入力された上り方向の音声信号を１／２ずつに分けて、それぞれ受信回路１１０，１１２に対して出力する。
【００１６】
受信回路１１０，１１２は、制御回路１４０の制御に従って、子機２０ａ，２０ｂそれぞれからの上り方向の音声信号をそれぞれ受信し、復調して音声信号を生成し、混合回路１２０に対して出力する。
つまり、制御回路１４０には、設定スイッチ１４２を介して子機２０ａ，２０ｂが用いる無線通信回線に関するデータが設定されており、制御回路１４０は、このデータに基づいて、受信回路１１０，１１２の周波数シンセサイザ（図示せず）等を制御し、受信回路１１０，１１２にそれぞれ子機２０ａ，２０ｂからの音声信号を受信させる。
【００１７】
混合回路（ＲＭＩＸ）１２０は、受信回路１１０，１１２それぞれが復調した音声信号を混合して混合回路（ＬＯＭＩＸ）１３０および側音調節回路１７０に対して出力する。
側音調節回路１７０は、例えば可変抵抗器から構成され、親機１０の操作者（ビデオ撮影のスタッフ）の操作により混合回路１２０から入力された音声信号の強度（音量）を変更して混合回路（ＴＭＩＸ）１６０に対して出力する。
【００１８】
ここで、図５を参照して後述するように、混合回路１２０が出力する音声信号はビデオ撮影システム１６０および送信回路１５０等を介して子機２０ａ，２０ｂに折り返され、子機２０ａ，２０ｂ相互間で伝送されるべき音声信号として用いられる。
したがって、側音調節回路１７０により子機２０ａ，２０ｂ相互間の音量を加減する、あるいは、子機２０ａ，２０ｂ相互間の連絡が不要な場合に音声信号を切ってしまうといった操作が可能である。
【００１９】
混合回路１３０は、混合回路１２０からの音声信号とヘッドセット３０から入力されてきたヘッドセット入力信号ＨＳＩとを混合してライン音声信号ＬＯとして中継車用通信機５０に対して出力する。
混合回路１６０は、側音調節回路１７０から入力された音声信号、ライン音声信号ＬＩ、ヘッドセット３０から入力されたヘッドセット入力信号ＨＳＩ、および、オンエア音声信号ＡＩＲを混合して送信回路１５０に対して出力する。
混合回路１８０は、中継車用通信機５０から入力されたライン入力信号ＬＩおよびオンエア音声信号ＡＩＲ、および、混合回路１２０から入力されたヘッドセット音声信号を混合してヘッドセット出力信号ＨＳＯとしてヘッドセット３０に対して出力する。
【００２０】
送信回路１５０は、制御回路１４０の制御に従って、混合回路１６０から入力された音声信号を、デュープレクサ１０２およびアンテナ１００を介して子機２０ａ，２０ｂに送信する。
つまり、制御回路１４０には、設定スイッチ１４２を介して親機１０が用いる無線通信回線に関するデータが設定されており、制御回路１４０は、このデータに基づいて送信回路１５０の周波数シンセサイザ（図示せず）等を制御し、混合回路１６０から入力された音声信号を、子機２０ａ，２０ｂが共通に受信に用いる周波数ｆC の無線通信回線上に、上り方向の音声信号として送信させる。
【００２１】
以上述べた親機１０の各構成要素の動作により、子機２０ａ，２０ｂおよびヘッドセット３０からの音声信号がライン音声信号ＬＯとして中継車用通信機５０に接続され、ヘッドセット３０からの音声信号、オンエア音声信号ＡＩＲ、および、ライン音声信号ＬＩが子機２０ａ，２０ｂに接続され、子機２０ａ，２０ｂからの音声信号、オンエア音声信号ＡＩＲ、および、ライン音声信号ＬＩがヘッドセット入力信号ＨＳＩとしてヘッドセット３０に接続される。
【００２２】
以下、図３を参照して子機２０ａ，２０ｂの構成を説明する。
図３に示すように、子機２０ａ，２０ｂは、それぞれ、アンテナ２００、デュープレクサ２０２、受信回路（ＲＸ）２１０、送信回路（ＴＸ）２５０、制御回路（ＣＰＵ）２４０および設定スイッチ２４２から構成される。
【００２３】
親機１０から周波数ｆC の無線通信回線上に送信された下り方向の音声信号は、デュープレクサ２０２を介して受信回路２１０に対して出力される。
受信回路２１０は、親機１０の受信回路１１０，１１２と同様の動作により、設定スイッチ２４２を介して設定されたデータに基づく制御回路２４０の制御に従って、制御回路２４０の下り方向の音声信号を受信して復調し、音声信号を生成してヘッドセット出力信号ＨＳＯとしてヘッドセット３２に対して出力する。  送信回路２５０は、送信回路１５０と同様の動作により、設定スイッチ２４２を介して設定されたデータに基づく制御回路２４０の制御に従って、ヘッドセット３２から入力されたヘッドセット入力信号ＨＳＩを、デュープレクサ２０２およびアンテナ２００を介して周波数ｆ1 の無線通信回線上に送出する。
【００２４】
以下、図４を参照してヘッドセット３０，３２ａ，３２ｂの構成を説明する。  ヘッドセット３２は、スピーカ３４とマイク３６とがバンド３８に配設されて構成されており、ビデオ撮影のスタッフは、それぞれバンド３８でヘッドセット３０を頭部に固定し、スピーカ３４を介して親機１０あるいは子機２０ａ，２０ｂから入力されたヘッドセット出力信号ＨＳＯを聞き、マイク３６に向かって話すことによりヘッドセット入力信号ＨＳＩを入力する。
なお、ヘッドセット出力信号ＨＳＯとヘッドセット入力信号ＨＳＩは、図２および図３に示した同名の音声信号として親機１０および子機２０ａ，２０ｂとの間で入出力される。
【００２５】
なお、子機２０ａ，２０ｂが本発明に係る第１の通信手段に相当し、受信回路２１０が本発明に係る第１の受信手段に相当し、送信回路２５０が本発明に係る第１の送信手段に相当する。
また、親機１０が本発明に係る第２の通信手段に相当し、受信回路１１０，１１２が本発明に係る第２の受信手段に相当し、送信回路１５０が本発明に係る第２の送信手段に相当し、混合回路１２０，１３０，１６０，１８０および側音調節回路１７０が本発明に係る信号接続手段に相当し、ヘッドセット３０が信号入出力手段に相当する。
【００２６】
以下、さらに図５を参照して通信システム２の動作を説明する。
図５は、図１に示した通信システム２における音声信号の接続を示す図である。
なお、図５においては、通信システム２の各構成要素およびその処理は適宜省略して示してあり、以下の説明においては、各音声信号の経路ごとに混合回路１２０，１３０等による音声信号の混合処理等を省略してある。
まず、図５の経路ａに示すように、中継車用通信機５０から親機１０にライン音声信号ＬＩとオンエア音声信号ＡＩＲが指示用ケーブルを介して送信され、これらの音声信号がヘッドセット３０のスピーカ３４からスタッフに対して出力される。
【００２７】
一方、親機１０に付属するヘッドセット３０のマイク３６から入力された音声信号は、親機１０からライン音声信号ＬＯとして中継車用通信機５０に対して指示用ケーブルを介して送信され、スピーカ５００から出力される。
以上の動作により、中継車用通信機５０のマイク５０２から入力されたディレクターの音声およびオンエア音声信号ＡＩＲが親機１０を用いるスタッフに伝えられ、このスタッフからの音声が中継車用通信機５０を介してディレクターに伝えられる。
【００２８】
また、図５の経路ｂに示すように、中継車用通信機５０からのライン音声信号ＬＩとオンエア音声信号ＡＩＲは、指示用ケーブルおよび親機１０を介して周波数ｆC の無線通信回線上に送信され、子機２０ａ，２０ｂで受信されてヘッドセット３２のスピーカ３４から出力される。
一方、子機２０ａ，２０ｂに付属するヘッドセット３２のマイク３６から入力された音声信号は周波数ｆ1 ，ｆ2 の無線通信回線上に送信され、親機１０の受信回路１１０，１１２によりそれぞれ受信され、指示用ケーブルおよび親機１０を介してライン音声信号ＬＯとして中継車用通信機５０に対して送信される。
以上の動作により、中継車用通信機５０のマイク５０２から入力されたディレクターの音声およびオンエア音声信号が子機２０ａ，２０ｂを用いるスタッフに伝えられ、これらのスタッフからの音声信号が中継車用通信機５０を介してディレクターに伝えられる。
【００２９】
また、図５の経路ｃに示すように、ヘッドセット３０のマイク３６からの音声信号は、親機１０を介して周波数ｆC の無線通信回線上に送信され、子機２０ａ，２０ｂで受信されてヘッドセット３２のスピーカ３４からスタッフに対して出力される。
一方、子機２０ａ，２０ｂに付属するヘッドセット３２のマイク３６から入力された音声信号は周波数ｆ1 ，ｆ2 の無線通信回線上に送信され、親機１０の受信回路１１０，１１２によりそれぞれ受信され、親機１０を介してヘッドセット３０のスピーカ３４から出力される。
以上の動作により、子機２０ａ，２０ｂを用いるスタッフと親機１０を用いるスタッフとの相互間で音声信号が伝えられる。
【００３０】
また、図５の経路ｄに示すように、子機２０ａのヘッドセット３２ａマイク３６からの音声信号は、周波数ｆ1 の無線通信回線を介して親機１０に送信され、さらに周波数ｆC の無線通信回線を介して子機２０ｂに対して送信され、子機２０ｂのヘッドセット３２ｂのスピーカ３４から出力される。
逆に、子機２０ｂのヘッドセット３２ｂマイク３６からの音声信号は、周波数ｆ2 の無線通信回線を介して親機１０に送信され、さらに周波数ｆC の無線通信回線を介して子機２０ａに対して送信され、子機２０ａのヘッドセット３２ａのスピーカ３４から出力される。
以上の動作により、子機２０ａ，２０ｂを用いるスタッフ相互間で音声信号が伝えられる。
【００３１】
本発明の通信システム２によれば、親機１０、子機２０ａ，２０ｂおよび中継車用通信機５０の任意の装置間で音声信号の送受信をすることができ、さらに中継車用通信機５０から親機１０および子機２０ａ，２０ｂに対してその他の音声信号、例えば上述のオンエア音声信号ＡＩＲを送信することができる。
【００３２】
また、本発明の通信システム２をビデオ撮影システム１に適用することにより、中継車５６にいるディレクターとＴＶカメラ５２を操作するスタッフ等の相互間の連絡を緊密にとることができる。したがって、ビデオ撮影作業の能率が上がる。
また、中継車用通信機５０と親機１０との間にのみ指示用ケーブルを敷設するのだけでよいので、指示用ケーブルが少なくてすみ、敷設作業の量も従来の方法に比べて少なくなる。
なお、通信システム２の親機１０および子機２０ａ，２０ｂは、例えば、電波法施行規則第３３条８号、第３８条の２および第３８条の３に規定されている「陸上移動業務の無線局」の規格に従ったものを用いると好適である。
【００３３】
実施例においては、中継車用通信機５０、親機１０および子機２０ａ，２０ｂの数が１対１対２の構成の通信システム２について説明したが、この構成は最小構成であり、子機の数は２台に限らず、中継車用通信機、親機および子機、またはこれらのいずれかを任意に増やしてもよい。
また、通信システム２の中継車用通信機５０、親機１０および子機２０に入力された音声信号をこれらの構成要素のいずれに接続するかは任意である。
【００３４】
また、通信システム２をビデオ撮影システムに適用することは例示であって、他の共同作業一般、例えば建設現場等への通信システム２の適用も好適である。  また、通信システム２を、音声信号だけでなくデータを送受信可能なように構成してもよい。
実施例に示した他、本発明の通信システムおよびビデオ撮影システムは、例えばここに変形例として示したように、種々の構成をとることができる。
【００３５】
【発明の効果】
以上述べたように本発明の通信システムによれば、ビデオ撮影といった共同作業を行う際に、作業者間の連絡のために敷設すべきケーブルの量がごく少なくてすむ。
また、本発明のビデオ撮影システムによれば、かかる通信システムを適用することにより、例えば、ビデオ撮影といった共同作業を行う際に、スタッフとディレクターとの間で緊密な連絡をとることができるので作業効率があがる。また、ハンディカメラまで連絡用のケーブルを引かなくてよいので、ハンディカメラの機動性を損なうことがない。
【図面の簡単な説明】
【図１】  本発明の実施の形態の通信システム、および、本発明の実施の形態の通信システムが適用される本発明の実施の形態のビデオ撮影システムの構成を示す図である。
【図２】  図１に示した親機の構成を示す図である。
【図３】  図１に示した子機の構成を示す図である。
【図４】  図１に示したヘッドセットの構成を示す図である。
【図５】  図１に示したビデオ撮影システムにおける音声信号の接続を示す図である。
【符号の説明】
１…ビデオ撮影システム、５２…ＴＶカメラ、５４…ハンディカメラ、５６…中継車、２…通信システム、１０…親機、２０ａ，２０ｂ…子機、１００，２００…アンテナ、１０２，２０２…デュープレクサ、１０４…分配器、１１０，１１２，２１０…受信回路、１２０，１３０，１６０，１８０…混合回路、１４０，２４０…制御回路、１４２，２４２…設定スイッチ、１５０，２５０…送信回路、１７０…側音調節回路、３０，３２ａ，３２ｂ…ヘッドセット、３４…スピーカ、３６…マイク、３８…バンド、５０…中継車用通信機、５００…中継車用通信機、５０２…マイク
【図１】
0003694045.tif 000002
【図２】
0003694045.tif 000003
【図３】
0003694045.tif 000004
【図４】
0003694045.tif 000005
【図５】
0003694045.tif 000006